(57)【特許請求の範囲】
【請求項１】
絶縁ブロックのコンタクト取付け部にその一端が植設されると共に、当該一端から延びる延設接触部の断面湾曲状の接点部に対して、前記延設接触部の延設方向の反対側からの相手方コンタクトが弾性的に当接されるコンタクトを有する電気コネクタにおいて、
前記コンタクトの一端が植設されるコンタクト取付け部の一方の植設側に、前記コンタクトの一端の側面を押圧させるスロープ状の隆起部を前記絶縁ブロック側と一体成形で設けて、前記一方の植設側と対向する反対方向に押圧を付与する応力付与部とする一方、前記コンタクト取付け部の一方の植設側に対向する他方の植設側先端を、前記一方の植設側に対して後退させた段差として、前記コンタクト取付け部に前記応力付与部側の一方の植設側の絶縁ブロックと前記段差の他方の植設側の絶縁ブロックとで挟んで植設された前記コンタクトの一端に一定の応力を負荷するようにしたことを特徴とする電気コネクタ。
【発明の詳細な説明】
【０００１】
【発明の属する技術分野】
本発明は、コンタクトに一定の応力を負荷するようにした電気コネクタに関するものである。
【０００２】
【従来の技術】
電気コネクタには、現在種々の構造のものが提案されているが、その中にハウジング（ケース体）をなす絶縁ブロックを合成樹脂で形成する一方、この絶縁ブロック内に相手方コンタクトと弾性的に当接されるコンタクトを多数配列させたものがある。
【０００３】
上記コンタクトは、一般にバネ性（弾性）に富む金属製薄板の加工品からなり、その接触部が相手方コンタクトと弾性的に当接されるようになっている。この関係を、概略的に示すと、図３の如くである。コンタクト１０は、その一端１１が絶縁ブロック２０に植設されると共に、この一端１１から延びる延設接触部１２が相手方コンタクト３０と弾性的に当接されるようになっている。なお、延設接触部１２の先端寄りには、相手方コンタクト３０の形状にもよるが、良好な接触効果が得られるように、一般に湾曲形状などの突出した形の接点部１２ａが形成してある。
【０００４】
上記コンタクト１０と相手方コンタクト３０の接触によって、通常は何ら問題のない電気的接続が得られるものの、近年の電気コネクタにおけるより一層の小型化や取り扱うデータ量の増大化によって、コンタクト自体の数が増えると同時により小片化することで、十分な接触圧が得られず、安定した電気的接続の確保が困難になるという問題があった。
【０００５】
このため、コンタクト１０側に予め一定の応力（プリテンション）を付与して、安定した電気的接続を得る方法が提案されている。これを、より具体的に示すと、図４〜図５の如くで、コンタクト１０の先端側を図中少々下向きに押し下げた状態でストッパ４０に当接させてある。つまり、図５から明らかなように、２点鎖線に示す、フリー状態（無負荷）におけるコンタクト１０の本来の水平位置に対して、距離Ｈ１だけ下向きに押し下げてある。
【０００６】
この下向きへの押し下げによって、コンタクト１０の延設接触部１２側、即ち接点部１２ａ側には、常に上向きの応力が作用することとなる。このため、相手方コンタクト３０に対して、上記フリー状態のコンタクト１０に比較して、当初からある程度の大きさの押圧力（接触圧）を確保することが可能となり、より安定した電気的接続が得られるようになる。
【０００７】
【発明が解決しようとする課題】
ところが、上記コンタクト１０の先端側にストッパ４０を当接させる方法では、次のような問題点があった。先ず、電気コネクタのさらなる小型化によって、ストッパ４０を配列するスペース的な余裕がないときには、採用し難いという問題があった。次に、ストッパ４０を配列する構造の場合、構成が複雑となり、製造コストの上昇を招くという問題もあった。
【０００８】
本発明は、このような従来の問題点に鑑みてなされたもので、プリテンションのための専用のスペースを殆ど必要とせず、かつ、構成的にも極めて簡単な構造からなる、プリテンション形のコンタクトを有する電気コネクタを提供せんとするものである。
【０００９】
【課題を解決するための手段】
請求項１記載の本発明は、絶縁ブロックのコンタクト取付け部にその一端が植設されると共に、当該一端から延びる延設接触部の断面湾曲状の接点部に対して、前記延設接触部の延設方向の反対側からの相手方コンタクトが弾性的に当接されるコンタクトを有する電気コネクタにおいて、
前記コンタクトの一端が植設されるコンタクト取付け部の一方の植設側に、前記コンタクトの一端の側面を押圧させるスロープ状の隆起部を前記絶縁ブロック側と一体成形で設けて、前記一方の植設側と対向する反対方向に押圧を付与する応力付与部とする一方、前記コンタクト取付け部の一方の植設側に対向する他方の植設側先端を、前記一方の植設側に対して後退させた段差として、前記コンタクト取付け部に前記応力付与部側の一方の植設側の絶縁ブロックと前記段差の他方の植設側の絶縁ブロックとで挟んで植設された前記コンタクトの一端に一定の応力を負荷するようにしたことを特徴とする電気コネクタにある。
【００１０】
【発明の実施の形態】
図１〜図２は、本発明に係る電気コネクタの一実施例を示したものであり、そのコンタクト取付け部を除いた全体形状は、基本的に上記図３に示した電気コネクタとほぼ同一である。このため、同一構成部分には図３と同一の符号を付してある。
【００１１】
つまり、本発明の電気コネクタでは、ハウジング（ケース体）をなす絶縁ブロック２０のコンタクト取付け部２１の一部に応力付与部５０を設け、このコンタクト取付け部２１に植設されたコンタクト１０の一端１１に一定の応力（プリテンション）を負荷するようにしてある。
【００１２】
上記応力付与部５０は、図２から明らかなように、コンタクト取付け部２１の図中上面側で、コンタクト１０の側面を押圧するスロープ状の隆起部（楔形状部分）５１からなる。この隆起部５１は、単体の楔形状部品などとして提供することもできるが、絶縁ブロック２０側と一体成形することが、生産性の点からすると、望ましい。
【００１３】
いずれにしても、このスロープ状の隆起部５１は、図１〜図２の２点鎖線に示す、フリー状態（無負荷）におけるコンタクト１０の本来の水平位置に対して、距離Ｈ２だけ下向きに押し下げるような形状としてある。
【００１４】
このため、コンタクト１０の延設接触部１２側、即ち接点部１２ａ側には、隆起部５１の当接部分よりは小さいものの、常に上向きの応力が作用する傾向となる。このため、相手方コンタクト３０に対する接触圧は、上記フリー状態のコンタクト１０の場合、初期接触圧がゼロから始まるのに対して、応力の作用により、初期接触圧が一定の値から始まることになる。つまり、当初からある程度の大きさの接触圧が確保できるため、より安定した電気的接続が得られる。言い換えれば、コンタクト自体のより一層の小片化や、また、これに伴うコンタクト金属材料のより一層の薄板化にも比較的容易に対応することが可能となる。
【００１５】
なお、上記実施の態様では、応力付与部５０をスロープ状の隆起部５１とする場合であったが、本発明はこれに限定されず、要するにコンタクト１０の側面を下向きに押し下げる構成であればよく、例えばコンタクト取付け部２１の上面側の開口付近に設けた単なる突起などであってもよい。
【００１６】
【発明の効果】
以上の説明から明らかなように、本発明によると、コンタクト取付け部の一部に応力付与部を設けることによって、簡単にプリテンション形のコンタクトを有する電気コネクタを提供することができる。
【００１７】
このため、同じプリテンション形であっても、従来のように、コンタクトの先端側に当接されるストッパが不要となる。この結果、ストッパ配列用のスペースが不要となり、省スペース性に優れ、電気コネクタのさらなる小型化にも十分対応することができるようになる。
【００１８】
また、コンタクトへの応力付与部は、コンタクト取付け部の
一部に設けたスロープ状の隆起部や単なる突起などでよいため、構成が簡単で、優れた生産性が得られるという利点もある。
【図面の簡単な説明】
【図１】  本発明に係る電気コネクタの一実施例になる概略を示した部分縦断側面図である。
【図２】  図１の電気コネクタにおける絶縁ブロックのコンタクト取付け部とコンタクトとを示した部分拡大側面図である。
【図３】  従来の電気コネクタの一例になる概略を示した部分縦断側面図である。
【図４】  従来のプリテンション形の電気コネクタの一例になる概略を示した部分縦断側面図である。
【図５】  図４の電気コネクタにおけるコンタクトとプリテンション用のストッパとの関係を示した部分拡大側面図である。
【符号の説明】
１０                    コンタクト
１１                    コンタクトの一端
１２                    コンタクトの延設接触部
２０                    絶縁ブロック（ハウジング）
２１                    コンタクト取付け部
３０                    相手方コンタクト
５０                    応力付与部
５１                    スロープ状の隆起部
【図１】
0004235323.tif 000002
【図２】
0004235323.tif 000003
【図３】
0004235323.tif 000004
【図４】
0004235323.tif 000005
【図５】
0004235323.tif 000006